(57)【要約】 【課題】  フランジおよびフィレットの内面を効果的に冷却する。【解決手段】  形鋼１の搬送経路にパスラインＰを挟んで設けられ、互いに接離移動する一対のサイドガイド２ａ，２ｂの上方または下方の少なくとも一方にパスラインＰに沿って千鳥状に設けられ、パスラインＰを挟んで他側のフランジ１ｆａ又は１ｆｂの内面を冷却する複数の内面冷却ノズル３ａ，３ｂ，４ａ，４ｃを備えた形鋼１の冷却装置Ａである。内面冷却ノズルをフラットスプレーノズルとし、その噴射孔の長軸と、形鋼１の搬送方向がなす捻り角度θ（°）を、前記ノズルピッチをｐ、ノズル噴射角をα（°）とした場合、７０−０．０７５×ｐ｛（α／２５）＋０．４｝≦θ≦８０−０．０７５×ｐ｛（α／２５）＋０．４｝で、かつ、１５０≦ｐ≦５００の関係を満足するようになす。【効果】  噴射した冷却水どうしが干渉せず、形鋼の温度ばらつきを抑制し、効率的に冷却できる。【選択図】  図１
2006061973.tif 000002
【特許請求の範囲】
【請求項１】
形鋼の搬送経路にパスラインを挟んで設けられ、互いに接離移動する一対のサイドガイドのそれぞれの上方または下方の少なくとも一方にパスラインに沿って千鳥状に設けられ、パスラインを挟んで他側のフランジの内面を冷却する複数の内面冷却ノズルを備えた形鋼の冷却装置において、
前記内面冷却ノズルがフラットスプレーノズルであって、
かつ、当該フラットスプレーノズルの噴射孔の長軸と前記形鋼の搬送方向がなす捻り角度θ（°）を、前記サイドガイドに配置された前記フラットスプレーノズルの中心間距離（ピッチ）をｐ（ｍｍ）、前記フラットスプレーノズルの噴射角をα（°）とした場合、
７０−０．０７５×ｐ｛（α／２５）＋０．４｝≦θ≦８０−０．０７５×ｐ｛（α／２５）＋０．４｝で、
かつ、１５０≦ｐ≦５００
の関係を満足することを特徴とする形鋼の冷却装置。
【請求項２】
前記捻り角度θ（°）は、パスラインを挟む両側に配置された内面冷却ノズル全てについて同一であることを特徴とする請求項１に記載の形鋼の冷却装置。
【請求項３】
パスラインを挟む両側に配置された前記内面冷却ノズルのうち、片側に配置された内面冷却ノズルの捻り角度θと、パスラインを挟んで反対側の内面冷却ノズルの捻り角度θが正負同符号であることを特徴とする請求項２に記載の形鋼の冷却装置。
【発明の詳細な説明】
【技術分野】
【０００１】
本発明は、形鋼の冷却装置に係り、さらに詳しくは、たとえば極厚Ｈ形鋼に代表される極厚の形鋼の冷却に用いて有効な形鋼の冷却装置に関するものである。
【背景技術】
【０００２】
近年、高層の建築構造物用の柱材として、たとえばフランジおよびウェブの肉厚が厚い極厚のＨ形鋼が使用されている。この極厚のＨ形鋼には、高強度、高靱性および高溶接性などの性能が求められ、この性能を得るために、前記極厚のＨ形鋼を熱間圧延ライン中で冷却する技術が多数提案されている。
【０００３】
たとえば極厚Ｈ形鋼の中間圧延工程において、ウェブやフランジを水冷装置によって冷却しつつ、その厚み方向に圧下するという、いわゆる熱加工制御圧延法による極厚Ｈ形鋼の製造方法が記載されている。
【非特許文献１】長谷川ら、「建築構造用ＴＭＣＰ極厚Ｈ形鋼（ＮＳＧＨ）の開発」、新日鉄技報第３６８号（１９９８）、７７〜８２頁
【０００４】
この熱加工制御圧延法における極厚Ｈ形鋼の冷却においては、フランジの外面および内面の冷却に加えて、ウェブ面も積極的に冷却する必要があり、このような極厚Ｈ形鋼の冷却装置も種々提案されている。
【特許文献１】特開平６−３１３３１号公報
【特許文献２】特開平６−７１３０１号公報
【特許文献３】特開平６−２９７０２８号公報
【特許文献４】特開平７−１８８７６３号公報
【０００５】
このうち、特許文献１で提案された冷却装置は、フランジの内面に近接して設けられた内面冷却ノズルを備えたものである。また、特許文献２で提案された冷却装置は、粗ユニバーサルミルの前後面に、フランジの内面に近接して設けられた内面冷却ノズルとＲ部内面冷却ノズルを備えたものである。
【０００６】
これらの特許文献１および特許文献２で提案された冷却装置では、内面冷却ノズルやＲ部内面冷却ノズルがフランジの内面に近接して設けられているために、搬送されるＨ形鋼の上下方向の反り、左右の曲がりおよび位置ずれなどによって、Ｈ形鋼が冷却ノズルと衝突するおそれがある。
【０００７】
また、特許文献３で提案された冷却装置は、Ｈ形鋼の両フランジの内面、ウェブの表裏面およびフィレット（フランジとウェブとの接続部）の内面に沿って設けられた壁面に冷却ノズルを備えたものである。
【０００８】
そのため、この冷却装置では、Ｈ形鋼の上下方向の反り、左右方向の曲がりやＨ形鋼の位置ずれなどによって、Ｈ形鋼が冷却装置と衝突するおそれがある。また、圧延されるＨ形鋼のサイズが変更されるたびに冷却装置の交換が必要となり、生産ラインを停止しなければならない。
【０００９】
また、特許文献４で提案された冷却装置は、Ｈ形鋼のフランジの内面およびウェブの上面に、箱型の冷却部材を近接して配置したものである。この冷却装置では、ウェブの幅方向に分割された箱型の冷却部材が両フランジの内面間の寸法（以下、「ウェブ内幅」と言う。）に応じて移動するため、Ｈ形鋼のウェブ内幅の変更に伴い冷却装置を交換する必要はない。しかしながら、箱型の冷却部材がＨ形鋼の両フランジ間に配置されているため、Ｈ形鋼の搬送中の上反り、左右曲がりや位置ずれなどによって、Ｈ形鋼が冷却装置と衝突するおそれがある。
【００１０】
このように、従来のＨ形鋼の冷却装置は、いずれもフランジ内面用の冷却装置が両フランジ間に設けられているため、Ｈ形鋼の上方向の反り、左右方向の曲がりやＨ形鋼の位置ずれによって、Ｈ形鋼が冷却装置やノズルと衝突するおそれがある。
【００１１】
これらの冷却装置に対して、両フランジ間を避けた位置に内面冷却装置を設けたＨ形鋼の冷却装置が提案されている。
【特許文献５】特開２００１−１２９６０７号公報
【００１２】
しかしながら、この特許文献５で提案された冷却装置は、Ｈ形鋼の上方向の反りにより、Ｈ形鋼が上部支持部材などに衝突するおそれがある。また、左右のヘッダー管が互いに近接しているため、ウェブ内幅が小さいＨ形鋼を冷却する場合には、左右のヘッダー管同士および左右の上ノズル同士が互いに干渉することがある。
【００１３】
これを避けるために、左右の上ノズルを互いに干渉しない位置に設定すると噴射角度αが小さくなり、左右の上ノズルから噴射される冷却水によるフランジの内面冷却が効果的に行えないおそれがある。この現象は、下側フランジ内面冷却装置の場合にも生じる。
【００１４】
さらに、Ｈ形鋼に高圧の冷却水が噴射されると、Ｈ形鋼の表面に付着しているスケールが剥離・落下して下ノズルに付着して詰まりが発生したり、下ノズルの噴射角度の設定機構などが機能しなくなったりするおそれがある。したがって、冷却装置の安定稼働のためには、下ノズルに堆積するスケールの除去を頻繁に行う必要があり、そのための工数が必要となる。
【００１５】
そこで、本出願人は、上述したような問題点を解決することが可能な形鋼の冷却装置およびこの冷却装置を使用した冷却方法を提案した。
【特許文献６】特開２００３−１９５１０公報
【００１６】
この形鋼の冷却装置Ａは、図１１に示すように、形鋼１の搬送経路に、パスラインＰを挟んで設けた互いに接離移動する一対のサイドガイド２ａ，２ｂのたとえば上方および下方に、パスラインＰに沿って千鳥状に、パスラインＰを挟んで他側のフランジ１ｆａ又は１ｆｂの内面を冷却する複数の内面冷却ノズル３ａ，３ｂ，４ａ，４ｂを設け、これら内面冷却ノズル３ａ，３ｂ，４ａ，４ｂの噴射方向を噴射方向調整機構５，６によって調整可能となした構成である。なお、図１１中の８ａ，８ｂはフランジ１ｆａ，１ｆｂの外面を冷却する複数の外面冷却ノズルである。
【００１７】
そして、図１２に示すような、ブレークダウンミルＢ、第１の粗ユニバーサルミルＣ1、エッジャーミルＤ、第２の粗ユニバーサルミルＣ2および仕上ユニバーサルミルＥを、上流側から搬送装置を介して順に配置した製造ラインでたとえばＨ形鋼を熱間圧延する際に、前記構成の冷却装置Ａを、前記第１の粗ユニバーサルミルＣ1の上流側、第２の粗ユニバーサルミルＣ2の下流側、仕上ユニバーサルミルＥの下流側の、少なくともいずれか１箇所に配置することにより、ウェブ１ｗ内幅の小さい形鋼でも、フランジ１ｆａ，１ｆｂやフィレットの内面を効果的に冷却でき、また、冷却水の噴射によって落下したスケールのノズルなどへの堆積が防止できる。
【発明の開示】
【発明が解決しようとする課題】
【００１８】
しかしながら、特許文献６の冷却装置および冷却方法は、パスラインを挟んで他側のフランジの内面を冷却する内面冷却ノズルがパスラインに沿って千鳥状に設けられているので、片側の被冷却面（形鋼の内面）について見ると、冷却ノズルの配置が疎らにならざるを得ず、冷却性能が劣るという問題を内在している。
【００１９】
本発明が解決しようとする問題点は、従来の冷却では、ウェブ内幅の小さい形鋼のフランジおよびフィレットの内面を冷却するには、冷却性能が劣ってしまうという点である。
【課題を解決するための手段】
【００２０】
発明者らは、前述の特許文献６に開示された形鋼の冷却装置が内在する、ウェブ内幅の小さい形鋼のフランジおよびフィレットの内面を冷却する際の冷却性能の劣化を解決すべく種々の実験を行った。
【００２１】
その結果、内面冷却ノズルの配置や取付け方法、あるいは該内面冷却ノズルから噴射される冷却水の噴射角度あるいは噴射面の形状によって、被冷却面の冷却性能に差が生じることを明らかにし、被冷却面の冷却性能を最大にするためのノズル仕様ならびにノズル取付け方法を見出し、以下の本発明を完成させた。
【００２２】
本発明の形鋼の冷却装置は、
Ｈ形鋼や平行フランジ溝形鋼などの形鋼を中間圧延あるいは仕上げ圧延などの熱間圧延後に冷却する際に、ウェブ内幅の小さい形鋼であってもそのフランジおよびフィレットの内面の被冷却面積を最大限にして、短時間で効果的に冷却するために、
形鋼の搬送経路にパスラインを挟んで設けられ、互いに接離移動する一対のサイドガイドのそれぞれの上方または下方の少なくとも一方にパスラインに沿って千鳥状に設けられ、パスラインを挟んで他側のフランジの内面を冷却する複数の内面冷却ノズルを備えた形鋼の冷却装置において、
前記内面冷却ノズルがフラットスプレーノズルであって、
かつ、当該フラットスプレーノズルの噴射孔の長軸と前記形鋼の搬送方向がなす捻り角度θ（°）を、前記サイドガイドに配置された前記フラットスプレーノズルの中心間距離（以下、「ピッチ」と言う。）をｐ（ｍｍ）、前記フラットスプレーノズルの噴射角をα（°）とした場合、
７０−０．０７５×ｐ｛（α／２５）＋０．４｝≦θ≦８０−０．０７５×ｐ｛（α／２５）＋０．４｝で、
かつ、１５０≦ｐ≦５００
の関係を満足することを最も主要な特徴としている。
【発明の効果】
【００２３】
本発明によれば、内面冷却ノズルの配置や取付け方法、あるいは該内面冷却ノズルから噴射される冷却水の噴射角度あるいは噴射面の形状を最適に設定することで、ウェブ内幅の小さい形鋼であっても内面冷却ノズルや当該ノズルから噴射した冷却水どうしが干渉することなく、形鋼のフランジおよびフィレットの内面を容易に、かつ、被冷却面積が最大限になって、冷却終了後の形鋼の温度ばらつきを抑制し、効率的に冷却できる。
【発明を実施するための最良の形態】
【００２４】
以下、本発明を実施するための最良の形態について、図１〜図１０を用いて詳細に説明する。
図１および図２は、形鋼の内面冷却ノズルの配置および捻り角と、被冷却面積の関係について説明する図である。
【００２５】
図１および図２の（ｂ）図は形鋼１の断面（同図ではＨ形鋼の上部断面のみを表示している。）と被水冷面を表し、形鋼１の中央に位置するパスラインＰを挟んで両側の形鋼１の上方に設置された２個の内面冷却ノズル（フラットスプレーノズル）３ａ，３ｂで、パスラインＰを挟んで他側の形鋼１の内面を冷却する状態を模式的に示している。なお、前記パスラインＰを挟んで両側とは、図１１に記載の形鋼１の製造ラインにおける圧延機の駆動側（ドライブサイド）と操作側（ワークサイド）を言う。
【００２６】
また、図１および図２の（ａ）図は、図１および図２の（ｂ）図の内面冷却ノズル３ａ，３ｂから噴射された冷却水７の噴射面形状Ｓを表し、紙面上方の楕円は図１および図２の（ｂ）図の矢視Ａ−Ａ断面位置における噴射面形状Ｓ、紙面下方の楕円は図１および図２の（ｂ）図の矢視Ｂ−Ｂ断面位置における噴射面形状Ｓを示している。
【００２７】
図１はノズルの捻り角θが比較的大きい場合、図２は捻り角θが比較的小さい場合を示しているが、両者とも捻り角θはパスラインＰを挟む両側に配置された内面冷却ノズル全てについて同一（正負の符号も含め）であることが特徴である。
【００２８】
本発明で使用するフラットスプレーノズルの場合、ノズルから噴射される冷却水７の噴射面形状Ｓは、図３（ａ）に示すような楕円形状、若しくは、図３（ｂ）に示すような長円形状である。また、噴射孔３ａａ，３ｂａは一般に楕円形状をしているが、図４に示すように当該噴射孔３ａａ，３ｂａの長軸の形鋼搬送方向からみた角度を捻り角θと言う。
【００２９】
図１および図２とも、冷却水噴射面の中央部（Ｈ形鋼のフランジ幅×１／４相当部）に対応する形鋼１の被水冷面の地点を図１および図２の（ｂ）図にＭ点として表示している。このＭ点における冷却能（熱伝達率）を見ると、捻り角θが比較的に大きい図１に比べて、捻り角θが比較的に小さい図２の方が個々の内面冷却ノズル３ａ，３ｂから噴射される冷却水７による濡れ時間（Ｍ点における被水冷面の形鋼搬送方向長さ／形鋼の搬送速度）が大きいため、冷却能が大きくなっている。
【００３０】
捻り角θが小さくなるに従い、Ｍ点における冷却能は大きくなっていくが、特定の値以下になるとパスラインＰを挟んで千鳥状に配置された内面冷却ノズル３ａ，３ｂから噴射される冷却水７が形鋼１の中央部（パスラインＰ）近傍で干渉し、パスラインＰを挟んで他側の形鋼１内面にまで冷却水７が届かなくなるため、冷却能は急激に低下する。
【００３１】
以上の関係を定量化して表示したのが図５である。図５は、噴射角αが３０°（噴射角αについては、図３参照）の楕円吹きノズル（図３（ａ）参照）をピッチｐが２００ｍｍ（●印）および４００ｍｍ（○印）で形鋼１の搬送方向に一列に配置し、６５０℃の形鋼１に噴射圧力が０.１５ＭＰａで冷却水７を噴射した際の図１および図２の（ｂ）図に記載のＭ点における平均冷却能（測定値）を、横軸に内面冷却ノズルの捻り角θをとって表したものである。なお、この際の形鋼１の搬送速度は３ｍ／ｓｅｃとした。
【００３２】
図５からわかるように、内面冷却ノズルの捻り角θを９０°から小さくしていくと、平均冷却能は一度増加するが、特定の捻り角θよりも小さくなると、平均冷却能は逆に減少する。
【００３３】
さらに、内面冷却ノズルのピッチｐとの関係で見ると、ピッチｐが大きい場合に比し、ピッチｐが小さい方が平均冷却能は全体的に高めであるが、平均冷却能が減少を始める内面冷却ノズルの捻り角θは大きいことがわかる。
【００３４】
すなわち、内面冷却ノズルのピッチｐが小さい方が、パスラインＰを挟んで両側に配置された内面冷却ノズルから噴射された冷却水の相互干渉が、より大きな捻り角θで生じやすくなることがわかる。
【００３５】
図６および図７は、図１および図２と同様の図である。この図６および図７においては、パスラインＰを挟む両側に配置された内面冷却ノズル３ａ，３ｂのうち、片側に配置された内面冷却ノズル３ｂの捻り角θに対して、パスラインＰを挟んで反対側の内面冷却ノズル３ａの捻り角θが正負逆である。また、図６は内面冷却ノズル３ａ，３ｂのピッチｐが比較的小さい場合、図７は同じく内面冷却ノズル３ａ，３ｂのピッチｐが比較的大きい場合を示している。
【００３６】
図６および図７とも、図１および図２と同様に前記冷却水噴射面の中央部に対応する形鋼１の被水冷面の地点を（ｂ）図にＭ点として表示している。当該Ｍ点における冷却能（熱伝達率）を見ると、前記ピッチｐが比較的大きい図７に比べて前記ピッチｐが比較的小さい図６の方が、一定の形鋼１の搬送時間（または距離）あたりの複数の内面冷却ノズル３ａ，３ｂから噴射される冷却水７による前記濡れ時間の累計が長くなるため、冷却能が大きくなる。
【００３７】
内面冷却ノズル３ａ，３ｂのピッチｐが小さくなるに従い、Ｍ点における冷却能は増加していくが、特定の値以下になると、図６（ａ）に破線の円で示すようにパスラインＰを挟んで千鳥状に配置された内面冷却ノズル３ａ，３ｂから噴射される冷却水７が形鋼１の中央部（パスラインＰ）近傍で干渉し、パスラインＰを挟んで他側の形鋼１内面にまで冷却水７が届かなくなるため、冷却能は急激に低下する。
【００３８】
以上の関係を定量化して表示したのが図８である。図８は、噴射角αが３０°の楕円吹きノズルを１００ｍｍ〜６００ｍｍまで１００ｍｍ刻みで内面冷却ノズル３ａ，３ｂのピッチｐを変化させ、６５０℃の形鋼１に噴射圧力０.１５ＭＰａで冷却水７を噴射した際の図１および図６，７の（ｂ）図に記載のＭ点における平均冷却能（測定値）を、横軸に内面冷却ノズル３ａ，３ｂのピッチｐをとって表したものである。なお、この際の形鋼１の搬送速度は３ｍ／ｓｅｃとした。
【００３９】
図８中の実線は、内面冷却ノズル３ａ，３ｂの捻り角θを、駆動側、操作側ともに６０°と同符号にした場合、破線は内面冷却ノズル３ａ，３ｂの捻り角θを、駆動側を６０°、操作側を−６０°と異符号にした場合の測定結果を示している。図８からわかるように、内面冷却ノズル３ａ，３ｂのピッチｐを６００ｍｍから小さくしていくと、平均冷却能は一度増加するが、特定のピッチｐよりも小さくなると、平均冷却能は逆に減少する。
【００４０】
また、内面冷却ノズル３ａ，３ｂの捻り角θとの関係で見ると、パスラインＰを挟んで両側に配置された内面冷却ノズル３ａ，３ｂの捻り角θが正負異符号の場合に比し、正負同符号の方が平均冷却能は全体的に高めで、とくに内面冷却ノズル３ａ，３ｂのピッチｐが１００〜３００ｍｍの広い範囲で両者の差が大きいことがわかる。
【００４１】
さらに、内面冷却ノズル３ａ，３ｂの捻り角θを６０°、内面冷却ノズル３ａ，３ｂのピッチｐを２００ｍｍとし、内面冷却ノズル３ａ，３ｂの噴射角αを１０〜３０°に変化させ、６５０℃の形鋼１に噴射圧力０.１５ＭＰａで冷却水７を噴射した際の図１（ｂ）に記載のＭ点における平均冷却能（測定値）を、横軸に内面冷却ノズル３ａ，３ｂの噴射角αをとって整理したのが図９である。なお、この際の形鋼１の搬送速度は３ｍ／ｓｅｃとした。
【００４２】
図９から、内面冷却ノズル３ａ，３ｂの噴射角αを１０°から大きくしていくと、平均冷却能はほぼ比例して減少することがわかる。これは、噴射角αを大きくするに従い、図１および図２の（ｂ）のＭ点における内面冷却ノズル３ａ，３ｂの１個当りの水量密度が低下するためである。
【００４３】
上記のさまざまな実験結果から得られた知見をもとに、発明者らは、本発明に係る形鋼の冷却装置を用いた冷却において、特定のノズルピッチｐに対して熱間鋼材の冷却能を最大限にするための最適ノズル捻り角θの関係（図１０）を見出した。
【００４４】
すなわち、内面冷却ノズル３ａ，３ｂの捻り角をθ（°）、サイドガイド２ａ，２ｂに配置された内面冷却ノズル３ａ，３ｂのピッチをｐ（ｍｍ）、内面冷却ノズル３ａ，３ｂの噴射角をα（°）とするとき、
θ＝７５−０．０７５×ｐ｛（α／２５）＋０．４｝の関係が成立する。
【００４５】
ところで、前記捻り角θについては、水冷装置（水冷ヘッダー）への個々の内面冷却ノズル３ａ，３ｂの取付け時の精度を考慮すると、前記値に対して±５°程度の誤差が生じる可能性がある。
【００４６】
そこで、本発明では、内面冷却ノズル３ａ，３ｂの捻り角θの好適範囲として下記式のように規定した。
７０−０．０７５×ｐ｛（α／２５）＋０．４｝≦θ≦８０−０．０７５×ｐ｛（α／２５）＋０．４｝
【００４７】
また、内面冷却ノズル３ａ，３ｂのピッチｐについては、実用上１５０ｍｍ〜５００ｍｍの範囲が望ましい。すなわち、内面冷却ノズル３ａ，３ｂのピッチｐが１５０ｍｍを下回ると、パスラインＰを挟んで両側に取付けた内面冷却ノズル３ｂ，３ａの取付け精度によっては冷却水７の相互干渉が発生しやすくなるからである。
【００４８】
一方、内面冷却ノズル３ａ，３ｂのピッチｐが５００ｍｍを超えると、内面冷却ノズル３ａ，３ｂの捻り角θを比較的大きくした場合、被冷却材（形鋼１）の搬送方向（長手方向）に被冷却面が疎らに（間欠的に）存在することになり、逆に捻り角θを比較的小さくした場合、被冷却材（形鋼１）の幅方向(搬送方向に垂直な方向)の被冷却面の幅が狭くなり、いずれにせよ冷却水７の噴射による形鋼１の全体としての冷却能が低下するため、被冷却面積を大きくするためには内面冷却ノズル３ａ，３ｂの数を多くする（多段に配置する）必要が生じ経済的でないからである。
【００４９】
ところで、内面冷却ノズル３ａ，３ｂの噴射角（拡がり角）αについては、１０〜３０°が望ましい。噴射角αを必要以上に小さくすると、噴射した冷却水７の相互干渉は生じにくいが、被冷却面積を大きくするためには内面冷却ノズル３ａ，３ｂの数を多くする（多段に配置する）必要が生じ経済的でないからである。
【００５０】
一方、内面冷却ノズル３ａ，３ｂの噴射角αを必要以上に大きくすると、ノズル１個当りの被冷却面積を大きくできるが、噴射した冷却水７の相互干渉が生じやすくなるほか、鋼材１（図１および図２、図６および図７における内面冷却ノズル３ａ，３ｂ直下の形鋼１）と冷却水７が干渉し易くなり、内面冷却ノズル３ａ，３ｂの配置や捻り角θに制約が生じるからである。
【実施例】
【００５１】
以下、本発明の効果を確認するために行った実施結果について説明する。
被冷却材は、高さが５５２ｍｍ、フランジ幅が５００ｍｍ、フランジ厚みが５０ｍｍ、ウェブ厚みが５０ｍｍの引張強さが５０キロ（４９０Ｎ／ｍｍ2）級の極厚Ｈ形鋼を使用した。
【００５２】
図１１に示したＨ形鋼製造ライン（加熱炉−ブレークダウンミルＢ−第１の粗ユニバーサルミルＣ1−エッジャーミルＤ−第２の粗ユニバーサルミルＣ2−仕上ユニバーサルミルＥ）において、仕上ユニバーサルミルＥの直近下流側に図１２に示した水冷装置Ａ（冷却ゾーン長３０ｍ）を設置して、熱間圧延された８００℃の前記極厚Ｈ形鋼の上下フランジ内外面の水冷を、以下の条件で６００℃となるまで実施した。
【００５３】
〔水冷条件〕
極厚Ｈ形鋼の搬送速度：３ｍ／ｓｅｃ
冷却水量：１０００トン／ｈｒ（上フランジ内面とウェブ上面２００トン／ｈｒ、下フランジ内面とウェブ下面３００トン／ｈｒ、フランジ外面５００トン／ｈｒ）
【００５４】
上記前提条件のもと下記表１に示す各種水冷条件において、極厚Ｈ形鋼の水冷直後のフランジ外面温度分布を測定した結果を下記表２に示す。
【００５５】
【表１】
2006061973.tif 000003
【００５６】
【表２】
2006061973.tif 000004
【００５７】
上記表２から、本発明の実施例１〜３はいずれも、本発明の実施例１〜３と比較して、内面冷却ノズルの捻り角θが駆動側と操作側で正負逆の比較例１、内面冷却ノズルのピッチが２．５倍で、内面冷却ノズル１個当りの冷却水量が２．５倍の比較例２、内面冷却ノズルの捻り角θが小さく、内面冷却ノズルの噴射角αが大きい比較例３、ノズルタイプが異なる（ノズルの捻り角θが０°）の比較例４、内面冷却ノズルの噴射角αが大きい比較例５、内面冷却ノズルの噴射角αが小さい比較例６に比べて、冷却後の形鋼のフランジ外面温度が低めであり、かつ、温度のばらつきも少なく、冷却能力に優れていることがわかる。
【００５８】
本発明は上記の例に限らず、内面冷却ノズルを、上下方向に傾斜させることに加えて、形鋼の搬送方向に傾斜させたり、また、図１および図２や図６および図７に示すように上下方向に１段配置するだけでなく、必要に応じて複数段配置させるなど、各請求項に記載された技術的思想の範囲内で、適宜実施の形態を変更しても良いことは言うまでもない。
【産業上の利用可能性】
【００５９】
本発明は、Ｈ形鋼の冷却だけでなく、平行フランジ溝形鋼の冷却にも適用できる。
【図面の簡単な説明】
【００６０】
【図１】捻り角が比較的大きい場合の内面冷却ノズル配置、捻り角と被冷却面積の関係を説明する図で、（ａ）は冷却水の噴射面形状、（ｂ）は形鋼断面と被水冷面の関係を示した図である。
【図２】捻り角が比較的小さい場合の内面冷却ノズル配置、捻り角と被冷却面積の関係を説明する図で、（ａ）は冷却水の噴射面形状、（ｂ）は形鋼断面と被水冷面の関係を示した図である。
【図３】内面冷却ノズルの冷却水噴射面形状を説明する図で、（ａ）は楕円吹きノズル、（ｂ）は長円吹きノズルを示す。
【図４】内面冷却ノズルの噴射孔と冷却水噴射面形状の関係を説明する図である。
【図５】形鋼の内面冷却ノズル捻り角と冷却性能の関係を示す図である。
【図６】内面冷却ノズルのピッチが比較的小さい場合の内面冷却ノズル配置、捻り角と被冷却面積の関係を説明する図で、（ａ）は冷却水の噴射面形状、（ｂ）は形鋼断面と被水冷面の関係を示した図である。
【図７】内面冷却ノズルのピッチが比較的大きい場合の内面冷却ノズル配置、捻り角と被冷却面積の関係を説明する図で、（ａ）は冷却水の噴射面形状、（ｂ）は形鋼断面と被水冷面の関係を示した図である。
【図８】形鋼の内面冷却ノズルピッチと冷却性能の関係を説明する図である。
【図９】形鋼の内面冷却ノズル噴射角と冷却性能の関係を説明する図である。
【図１０】ノズルの噴射孔と冷却水噴射面の関係を説明する図である。
【図１１】特許文献６の形鋼の水冷装置を説明する図で、（ａ）は正面図、（ｂ）は平面図である。
【図１２】特許文献６の形鋼の製造ラインの例を説明する図である。
【符号の説明】
【００６１】
Ａ    冷却装置
１    形鋼
１ｆａ，１ｆｂ    フランジ
１ｗ    ウェブ
２ａ，２ｂ    サイドガイド
３ａ，３ｂ，４ａ，４ｂ    内面冷却ノズル
７    冷却水
【図１】
2006061973.tif 000005
【図２】
2006061973.tif 000006
【図３】
2006061973.tif 000007
【図４】
2006061973.tif 000008
【図５】
2006061973.tif 000009
【図６】
2006061973.tif 000010
【図７】
2006061973.tif 000011
【図８】
2006061973.tif 000012
【図９】
2006061973.tif 000013
【図１０】
2006061973.tif 000014
【図１１】
2006061973.tif 000015
【図１２】
2006061973.tif 000016